(57)【要約】【課題】テープを巻き付けやすい構造を有する梱包材を実現する。【解決手段】発泡樹脂材料からなる一対の梱包材１０が、被梱包物Ｐを両側から挟み込む際に対向する概ね矩形状を呈する対向面１の四隅における４つの角部１ｂを、それぞれ略三角柱形状に取り除くようにして切欠部５を形成する。その切欠部５は対向面１に接する１つの切欠面５ａとその切欠面５ａに接する１つのガイド面５ｂを有するとともに、その切欠面５ａを含むように対向面１と接する面（例えば、外側面３）に巻き付けられて貼付される梱包テープＴの幅と、切欠面５ａの対向面１からガイド面５ｂまでの幅を、略同一であるようにした。【選択図】図１
2006052003.tif 000002
【特許請求の範囲】
【請求項１】
被梱包物を両側から挟み込む、発泡樹脂材料からなる一対の梱包材であって、
前記梱包材が対向する概ね矩形状を呈する対向面の四隅における４つの角部をそれぞれ略三角柱形状に取り除くように、前記対向面に接する１つの切欠面と、前記切欠面に接する１つのガイド面を有する切欠部が形成されるとともに、前記切欠面を含むように前記対向面と接する面に巻き付けられて貼付されるテープの幅と、前記切欠面の前記対向面から前記ガイド面までの幅は、略同一であることを特徴とする梱包材。
【請求項２】
被梱包物を両側から挟み込む、発泡樹脂材料からなる一対の梱包材であって、
前記梱包材が対向する概ね矩形状を呈する対向面の四隅における少なくとも１つの角部を略三角柱形状に取り除くように、前記対向面に接する１つの切欠面と、前記切欠面に接する１つのガイド面を有する切欠部が形成されるとともに、前記切欠面を含むように前記対向面と接する面にテープが巻き付けられて貼付されることを特徴とする梱包材。
【請求項３】
前記切欠部は、前記梱包材の対向面における４つの角部に形成されていることを特徴とする請求項２に記載の梱包材。
【請求項４】
前記切欠面の前記対向面から前記ガイド面までの幅は、前記テープの幅と略同一であることを特徴とする請求項２又は３に記載の梱包材。
【請求項５】
前記切欠部は、前記梱包材の対向面から、当該梱包材の反対側の面に亘って形成されていることを特徴とする請求項２〜４のいずれか一項に記載の梱包材。
【発明の詳細な説明】
【技術分野】
【０００１】
本発明は、梱包材に関する。
【背景技術】
【０００２】
従来、被梱包物に作用する振動や衝撃を緩和するために、被梱包物を覆って保護し、被梱包物の破損を防止する梱包材が知られている（例えば、特許文献１，２参照。）。
【０００３】
また、梱包材が破損した際の破片が飛散しないようにするため、又は複数の梱包材同士を固定するために、梱包材の周囲にテープを貼付することがあった。
【０００４】
梱包材へのテープの貼付方法としては、例えば、単に梱包材の外形に沿ってテープを貼り付けることや、梱包材に形成された案内溝に沿うようにテープを貼り付けることが知られている（例えば、特許文献３参照。）。
【特許文献１】実開平５−５４３４１号公報
【特許文献２】特開２００２−２８６４号公報
【特許文献３】特開２００１−２１９９７２号公報
【発明の開示】
【発明が解決しようとする課題】
【０００５】
しかしながら、梱包材の外形に沿ってテープを貼付する際に、梱包材のコーナー部においてテープを約９０度の角度に折り曲げるように巻き付ける場合、テープを巻き付ける先の面を視認しにくくいので、テープがずれやすく、巻き付けにくいという問題があった。
【０００６】
また、上記特許文献３の場合、梱包材の周面の全域に形成されている案内溝に沿ってテープを貼付することになり、かえって作業性が悪く、テープを巻き付けにくいという問題があった。
【０００７】
そして、テープがずれてしまった場合や、よれてしまった場合には、テープを貼り直すように巻き直さなければならないことがあった。
【０００８】
本発明の目的は、テープを巻き付けやすい構造を有する梱包材を提供することである。
【課題を解決するための手段】
【０００９】
以上の課題を解決するため、請求項１記載の発明は、被梱包物を両側から挟み込む、発泡樹脂材料からなる一対の梱包材であって、前記梱包材が対向する概ね矩形状を呈する対向面の四隅における４つの角部をそれぞれ略三角柱形状に取り除くように、前記対向面に接する１つの切欠面と、前記切欠面に接する１つのガイド面を有する切欠部が形成されるとともに、前記切欠面を含むように前記対向面と接する面に巻き付けられて貼付されるテープの幅と、前記切欠面の前記対向面から前記ガイド面までの幅は、略同一であることを特徴とする。
【００１０】
請求項２記載の発明は、被梱包物を両側から挟み込む、発泡樹脂材料からなる一対の梱包材であって、前記梱包材が対向する概ね矩形状を呈する対向面の四隅における少なくとも１つの角部を略三角柱形状に取り除くように、前記対向面に接する１つの切欠面と、前記切欠面に接する１つのガイド面を有する切欠部が形成されるとともに、前記切欠面を含むように前記対向面と接する面にテープが巻き付けられて貼付されることを特徴とする。
【００１１】
請求項３記載の発明は、請求項２に記載の梱包材において、前記切欠部は、前記梱包材
の対向面における４つの角部に形成されていることを特徴とする。
【００１２】
請求項４記載の発明は、請求項２又は３に記載の梱包材において、前記切欠面の前記対向面から前記ガイド面までの幅は、前記テープの幅と略同一であることを特徴とする。
【００１３】
請求項５記載の発明は、請求項２〜４のいずれか一項に記載の梱包材において、前記切欠部は、前記梱包材の対向面から、当該梱包材の反対側の面に亘って形成されていることを特徴とする。
【発明の効果】
【００１４】
請求項１記載の発明によれば、発泡樹脂材料からなる一対の梱包材が、被梱包物を両側から挟み込む際に対向する概ね矩形状を呈する対向面の四隅における４つの角部は、それぞれ略三角柱形状に取り除かれるようにして切欠部が形成されている。その切欠部は、対向面に接する１つの切欠面とその切欠面に接する１つのガイド面を有するとともに、その切欠面を含むように対向面と接する面に巻き付けられて貼付されるテープの幅と、切欠部における切欠面の対向面からガイド面までの幅が、略同一であるようになっている。
【００１５】
例えば、梱包材における対向面と接する面にテープを巻き付ける際に、そのテープの幅方向の側部を切欠部のガイド面に当接させるように位置合わせし、切欠部の切欠面に貼付するようにして巻き付ければ、ガイド面と切欠面とが接する部分は対向面と平行であるので、テープは対向面の縁に沿って平行な方向に巻き付けられるとともに、そのテープを対向面に対し垂直な向きに貼付することができる。
【００１６】
特に、切欠面の対向面からガイド面までの幅は、テープの幅と略同一であるので、テープの幅方向の一方の側部をガイド面に当接させつつ、テープを切欠面および梱包材の対向面と接する面に巻き付けるようにすれば、テープの幅方向の他方の側部を対向面の縁に沿わすように、テープを巻き付けて、貼付することができる。
【００１７】
また、梱包材の対向面における４つの角部に切欠部が形成されているので、各角部の切欠部におけるガイド面に対してテープを位置合わせすることができる。
【００１８】
よって、４箇所の切欠部のガイド面において位置合わせされたテープは、梱包材の対向面と接する面に対して、より好適に位置決めされることが可能になり、より適正な位置に巻き付けられて貼付されることが可能になる。
【００１９】
このように、梱包材の対向面の角部を略三角柱形状に取り除くようにして、対向面に接する１つの切欠面とその切欠面に接する１つのガイド面を有する切欠部が形成された梱包材であれば、その梱包材の対向面と接する面にテープを巻き付ける際に、テープの幅方向の側部をガイド面に当接させるように、テープを位置決めすることができる。そして、テープの幅方向の側部をガイド面に当接させつつ、テープを切欠面および梱包材の対向面と接する面に巻き付けるようにすれば、テープを対向面の縁に沿って平行な方向に巻き付けて、そのテープを対向面に対し垂直な向きに貼付することができる。
【００２０】
よって、テープを梱包材の対向面と接する面に巻き付ける際に、テープの向きを対向面の縁に沿わせることができ、対向面の縁からずれることなく巻き付け、貼付することができる。従って、このような切欠部を有する梱包材は、テープを巻き付けやすく、貼付しやすい梱包材であるといえる。
【００２１】
また、概ね矩形状を呈する対向面の四隅の角部で比較的鋭角に接していた、梱包材の対向面と接する面の間に切欠面が形成されることによって、比較的鈍角に接する面が連なるようになる。そして、テープを巻き付けて貼付する先の面を視認しやすくなるので、テープを梱包材の対向面と接する面に巻き付けやすく、貼付しやすくなる。
【００２２】
請求項２記載の発明によれば、発泡樹脂材料からなる一対の梱包材が、被梱包物を両側から挟み込む際に対向する概ね矩形状を呈する対向面の四隅における少なくとも１つの角部は、略三角柱形状に取り除かれるようにして切欠部が形成されている。その切欠部は、対向面に接する１つの切欠面とその切欠面に接する１つのガイド面を有しており、その切欠面を含むように対向面と接する面にテープが巻き付けられて貼付されるようになっている。
【００２３】
例えば、梱包材における対向面と接する面にテープを巻き付ける際に、そのテープの幅方向の側部を切欠部のガイド面に当接させるように位置合わせし、切欠部の切欠面に貼付するようにして巻き付ければ、ガイド面と切欠面とが接する部分は対向面と平行であるので、テープは対向面の縁に沿って平行な方向に巻き付けられるとともに、そのテープを対向面に対し垂直な向きに貼付することができる。
【００２４】
つまり、梱包材の対向面の角部を略三角柱形状に取り除くようにして、対向面に接する１つの切欠面とその切欠面に接する１つのガイド面を有する切欠部が形成された梱包材であれば、その梱包材の対向面と接する面にテープを巻き付ける際に、テープの幅方向の側部をガイド面に当接させるように、テープを位置決めすることができる。そして、テープの幅方向の側部をガイド面に当接させつつ、テープを切欠面および梱包材の対向面と接する面に巻き付けるようにすれば、テープを対向面の縁に沿って平行な方向に巻き付けて、そのテープを対向面に対し垂直な向きに貼付することができる。
【００２５】
よって、テープを梱包材の対向面と接する面に巻き付ける際に、テープの向きを対向面の縁に沿わせることができ、対向面の縁からずれることなく巻き付け、貼付することができる。
【００２６】
従って、このような切欠部を有する梱包材は、テープを巻き付けやすく、貼付しやすい梱包材であるといえる。
【００２７】
また、概ね矩形状を呈する対向面の四隅の角部で比較的鋭角に接していた、梱包材の対向面と接する面の間に切欠面が形成されることによって、比較的鈍角に接する面が連なるようになる。そして、テープを巻き付けて貼付する先の面を視認しやすくなるので、テープを梱包材の対向面と接する面に巻き付けやすく、貼付しやすくなる。
【００２８】
請求項３記載の発明によれば、請求項２記載の発明と同様の効果が得られることは無論のこと、特に、梱包材の対向面における４つの角部に切欠部が形成されているので、各角部の切欠部におけるガイド面に対してテープを位置合わせすることができる。
【００２９】
よって、４箇所の切欠部のガイド面において位置合わせされたテープは、梱包材の対向面と接する面に対して、より好適に位置決めされることが可能になり、より適正な位置に巻き付けられて貼付されることが可能になる。
【００３０】
請求項４記載の発明によれば、請求項２又は３に記載の発明と同様の効果が得られることは無論のこと、特に、切欠面の対向面からガイド面までの幅はテープの幅と略同一であるので、テープの幅方向の一方の側部をガイド面に当接させつつ、テープを切欠面および梱包材の対向面と接する面に巻き付けるようにすれば、テープの幅方向の他方の側部を対向面の縁に沿わすように、テープを巻き付けて、貼付することができる。
【００３１】
請求項５記載の発明によれば、請求項２〜４のいずれか一項に記載の発明と同様の効果が得られることは無論のこと、特に、切欠部は、梱包材の対向面から当該梱包材の反対側の面に亘って形成されているので、より大きな切欠面が形成されることとなる。そして、その大きく、幅が広い切欠面に対して、テープを巻き付け、貼付しやすくなる。
【発明を実施するための最良の形態】
【００３２】
以下、図面を参照して、本発明に係る梱包材について詳細に説明する。
【００３３】
本発明に係る梱包材１０は、図１に示すように、２つの梱包材１０を一組とする一対で使用するものであり、各梱包材１０が対向する内側に、被梱包物Ｐを挟持するように保持するものである。
【００３４】
この梱包材１０は、梱包材１０が保持する被梱包物Ｐに対し外部から作用する落下や振動による衝撃等の外力を、その被梱包物Ｐに伝達しにくくするように、その外力を吸収することができる比較的柔らかく、脆い材料からなり、例えば、ポリスチレン樹脂からなる発泡スチロール材料により成形されている。
【００３５】
図２は梱包材１０の内側を示す斜視図であり、図３は梱包材１０の外側を示す斜視図である。
【００３６】
図１から図３に示すように、梱包材１０は、略直方体形状を呈しており、各梱包材１０が対向する面である対向面１には、被梱包物Ｐを収容するための収容凹部１ａが形成されている。その収容凹部１ａの左右の縁には、対向する梱包材１０を離間させるとともに、収容凹部１ａに収容する被梱包物Ｐを保護するための突起部２がそれぞれ設けられている。
【００３７】
また、梱包材１０の対向面１と接する面である外側面３と、収容凹部１ａの内側面４には、それぞれ凹凸が連続する波形状部３３、４４が形成されている。
【００３８】
そして、図４に示すように、各梱包材１０が対向する概ね矩形状を呈する対向面１の四隅における４つの角部１ｂがそれぞれ略三角柱形状に切り取られて取り除かれるように、４つの切欠部５が形成されている。
【００３９】
なお、梱包材１０の対向面１が概ね矩形状を呈し、その梱包材１０の外接面が略直方体形状を呈することにより、被梱包物Ｐを保持した梱包材１０が、ダンボール箱のような直方体のケースにがたつかず、収容されるようになる。
【００４０】
切欠部５は、対向面１と垂直に接する切欠面５ａと、その切欠面５ａと垂直に接し対向面１と平行なガイド面５ｂを有している。なお、ガイド面５ｂの形状が直角二等辺三角形となり、切欠面５ａと外側面３とが接する角度が４５度（１３５度）となるように、切欠部５を形成することが好ましい。
【００４１】
そして、図１、図５に示すように、梱包材１０の外側面３における波形状部３３の凸部３３ａにおいて対向面１と接する部分側および切欠面５ａには、テープが貼付されるようになっており、その対向面１の周囲を少なくとも１周分囲うように梱包テープＴが貼付されている。
え  この切欠部５の切欠面５ａにおける、対向面１からガイド面５ｂへ掛かる辺の長さは、梱包テープＴの幅と略同一となっている。つまり、切欠部５を形成するように、対向面１の角部１ｂを含めて取り除かれるような略三角柱形状の高さ部分の幅が、梱包テープＴの幅と略同一となっている。
【００４２】
このような形状の切欠部５であれば、梱包材１０の外側面３および切欠面５ａに梱包テープＴを貼付する際に、梱包テープＴの幅方向の一方の側部をガイド面５ｂに当接させるように、梱包テープＴを位置決めすることができる。
【００４３】
つまり、図５に示すように、梱包テープＴの幅方向の側部をガイド面５ｂに当接させつつ、梱包テープＴを梱包材１０の外側面３および切欠面５ａに貼付するようにすれば、梱包テープＴの他方の側部を梱包材１０の対向面１の縁に沿わせるようにすることができ、梱包テープＴを好適に巻き付けやすい。
【００４４】
例えば、梱包テープＴの側部が梱包材１０の対向面１側に張り出すように（はみ出すように）貼付されてしまったり、梱包材１０の外側面３において対向面１と接する部分が露出するように貼付されてしまったりすると、梱包テープＴを剥がし、梱包テープＴの貼り直しをしなければならず、テープ貼付作業の時間が余分に掛かってしまうということがあ
った。
【００４５】
よって、梱包テープＴの側部を梱包材１０の対向面１の縁に沿わせるように位置決めすることができる切欠部５を有する梱包材１０は、梱包テープＴを巻き付けやすく、貼付しやすい梱包材であるといえる。
【００４６】
また、約９０度の角度で接していた外側面３が、切欠部５が形成されることで、外側面３は切欠面５ａを介して接するようになり、その外側面３と切欠面５ａとは、約１３５度の角度で接するようになる。
【００４７】
つまり、比較的鋭角に接していた外側面３の間に切欠面５ａを形成することによって、比較的鈍角に接する面が連なるようになり、梱包テープＴを巻き付けて貼付する先の面を視認しやすくなるので、梱包テープＴを梱包材１０の外側面３に貼付しやすくなる。
【００４８】
この梱包テープＴは、梱包材１０が破損した際の破片が飛散しないように、生じた梱包材１０の破片を付着させるために貼付されている。特に、各梱包材１０が対向する間であり、各梱包材１０に挟持されて保持される被梱包物Ｐ側に、梱包材１０の破片が脱落しないようにその破片を付着するようになっている。
【００４９】
収容凹部１ａは、所定の被梱包物をがたつきが無いように保持することができる形状に形成されており、収容凹部１ａの波形状部４４の凸部４４ａ先端側が被梱包物を支持するようになっている。
【００５０】
また、図６に示すように、一対の梱包材１０が被梱包物Ｐを保持した状態で、所定のダンボール箱などのケースＣに収納される際に、そのケースＣ内でがたつかない形状に梱包材１０は形成されており、外側面３の波形状部３３の凸部３３ａ先端側が、ケースＣの内面に当接するようになっている。
【００５１】
そして、波形状部３３の凸部３３ａや、波形状部４４の凸部４４ａは、その突出した形状ゆえ、変形しやすくなっている。
【００５２】
つまり、梱包材１０及び被梱包物Ｐが収納されたケースＣに対し、外部から振動や衝撃などの外力が作用した場合、波形状部３３の凸部３３ａや波形状部４４の凸部４４ａは、撓むなど変形することで、その外力を吸収することができるようになっている。
【００５３】
このように、梱包材１０は、各梱包材１０が対向する対向面１の四隅の角部１ｂを略三角柱形状に取り除くように形成された切欠部５を有しているので、その切欠部５のガイド面５ｂに梱包テープＴの側部を位置合わせすることにより、梱包テープＴの側部を梱包材１０の対向面１の縁に沿わせるように位置決めし、貼付することができる。
【００５４】
また、外側面３と切欠面５ａとが、比較的鈍角に接することにより、梱包テープＴを巻き付けて貼付する先の面を視認しやすくなるので、梱包テープＴを梱包材１０の外側面３に貼付しやすくなる。
【００５５】
よって、梱包材１０は、梱包テープＴの側部を梱包材１０の対向面１の縁に沿わせるように巻き付けやすく、貼付しやすい梱包材であるといえる。従って、梱包材１０に梱包テープＴを巻き付けて貼付する、テープ貼付作業の時間を短縮することができる。
【００５６】
そして、梱包材１０の対向面１の縁に沿って、梱包テープＴが貼付されているので、外力の作用などに伴い、梱包材１０が破損した際に破片が生じた場合、その破片が飛散しないように、梱包テープＴはその破片を粘着することができる。特に、各梱包材１０が対向する間であり、各梱包材１０に保持されている被梱包物Ｐ側に、梱包材１０の破片が脱落しないように、梱包テープＴはその破片を粘着するようになっているので、生じた破片が被梱包物Ｐに付着してしまうことを防ぐことができる。
【００５７】
よって、ケースＣを開けた際に、被梱包物Ｐである新品の製品に梱包材１０の破片が付着してしまっているという美観を損ねるようなトラブルや、破片が製品の内部に混入してしまうというようなトラブルを低減することができる。
【００５８】
また、このように、梱包材１０の四隅を切り欠いた形状にし、梱包材１０の容積を小さくすることにより、梱包材１０の材料費を低減することができ、コストダウンを図ることができる。
【００５９】
なお、以上の実施の形態においては、対向面１の四隅における４つの角部１ｂを略三角柱形状に取り除くように、４つの切欠部５を形成した梱包材１０について説明したが、本発明はこれに限定されるものではなく、梱包材の対向面１の四隅における４つの角部１ｂのうち、少なくとも１つの角部１ｂを略三角柱形状に取り除き、梱包材に少なくとも１つの切欠部５が形成されればよい。つまり、図７に示すように、梱包材２０の四隅における１つの角部１ｂを取り除くように、１つの切欠部５を形成するようにしてもよい。
【００６０】
このように、梱包材２０に１つの切欠部５を形成するような場合、その切欠部５は、梱包材２０がケースＣに収容される際に、下側となるようにすることが好ましい。それによって、ケースＣを開封した際に、切欠部５が視認されないようにすることができる。特に、その切欠部５において梱包テープＴの位置合わせを行った場合、梱包テープＴの巻き始め端部や、巻き終わり端部が切欠部５に位置するようになるので、そのような端部を隠すようにすることができる。
【００６１】
また、２つの角部１ｂを取り除くような２つの切欠部５、３つの角部１ｂを取り除くような３つの切欠部５を形成するようにしてもよい。
【００６２】
また、以上の実施の形態においては、切欠部５は、対向面１と垂直に接する切欠面５ａと、その切欠面５ａと垂直に接し対向面１と平行なガイド面５ｂを有する場合を例に説明したが、本発明はこれに限定されるものではなく、図８に示すように、梱包材３０に形成する切欠部５５のように、切欠面５５ａのみを有する切欠部であってもよい。この場合、梱包材１０（切欠部５）のように、梱包テープＴを位置合わせすることはできないが、外側面３と切欠面５５ａとが、比較的鈍角に接しているので、梱包テープＴを巻き付けて貼付する先の面を視認しやすく、また、切欠面５５ａの幅が広いので、梱包テープＴを梱包材３０の外側面３に貼付しやすくなる。
【００６３】
また、その他、具体的な細部構造等についても適宜に変更可能であることは勿論である。
【図面の簡単な説明】
【００６４】
【図１】一対の梱包材が対向し、被梱包物を保持する状態を示す斜視図である。
【図２】梱包材の内側を示す斜視図である。
【図３】梱包材の外側を示す斜視図である。
【図４】梱包材の対向面の四隅の角部が略三角柱形状に取り除かれるように切欠部が形成されることを示す説明図である。
【図５】切欠部のガイド面に梱包テープを位置合わせし、梱包テープの側部を梱包材の対向面の縁に沿わせるように巻き付けて、貼付する状態を示す説明図である。
【図６】一対の梱包材が被梱包物を保持して、ケースに収容される状態を示す説明図である。
【図７】梱包材の変形例を示す斜視図である。
【図８】梱包材の変形例を示す斜視図である。
【符号の説明】
【００６５】
１      対向面
１ａ    収容凹部
１ｂ    角部
２      突起部
３      外側面（対向面と接する面）
３３    波形状部
３３ａ  凸部
４      内側面
４４    波形状部
４４ａ  凸部
５      切欠部
５ａ    切欠面
５ｂ    ガイド面
５５    切欠部
５５ａ  切欠面
１０、２０、３０  梱包材
Ｐ      被梱包物
Ｔ      梱包テープ（テープ）
Ｃ      ケース
【図１】
2006052003.tif 000003
【図２】
2006052003.tif 000004
【図３】
2006052003.tif 000005
【図４】
2006052003.tif 000006
【図５】
2006052003.tif 000007
【図６】
2006052003.tif 000008
【図７】
2006052003.tif 000009
【図８】
2006052003.tif 000010